(57)【要約】【課題】ハーネスプロテクタからの電気接続箱内への水の浸入を防止する。【解決手段】接続箱本体のガイド部１０に装着されるハーネスプロテクタ３を備える電気接続箱で、ハーネスプロテクタの端部に対向する止水壁１５を接続箱本体に設けた。ハーネスプロテクタ３の端部に下向きの鍔壁１８を設け、鍔壁と止水壁１５とを対向させ、鍔壁と止水壁との間に水誘導用の隙間１９を設けた。ハーネスプロテクタ３の下側に位置する接続箱本体の壁部１４を止水壁１５に交差させ、壁部に第一の水抜き孔２１を設けた。ハーネスプロテクタ３の端部側の部分７ｂを接続箱本体内で上向きに屈曲させた。ハーネスプロテクタ３の中間の鍔壁８をガイド部１０にスライド係合し、ガイド部の最下位置に第二の水抜き孔２２を設けた。ガイド部１０よりも内側でハーネスプロテクタ３に第三の水抜き孔２３を設けた。【選択図】      図２
2005027457.tif 000002
【特許請求の範囲】
【請求項１】
接続箱本体のガイド部に装着されるハーネスプロテクタを備え、該接続箱本体に、該ハーネスプロテクタの端部に対向する止水壁が設けられたことを特徴とする電気接続箱の止水構造。
【請求項２】
前記ハーネスプロテクタの端部に下向きの鍔壁が設けられ、該鍔壁と前記止水壁とが対向して位置し、該鍔壁と該止水壁との間に水誘導用の隙間が設けられたことを特徴とする請求項１記載の電気接続箱の止水構造。
【請求項３】
前記ハーネスプロテクタの下側に位置する前記接続箱本体の壁部が前記止水壁に交差して続き、該壁部に第一の水抜き孔が設けられたことを特徴とする請求項１又は２記載の電気接続箱の止水構造。
【請求項４】
前記第一の水抜き孔が前記鍔壁の直下ないしその近傍に位置したことを特徴とする請求項３記載の電気接続箱の止水構造。
【請求項５】
前記ハーネスプロテクタの端部側の部分が前記接続箱本体内で上向きに屈曲していることを特徴とする請求項１〜４の何れか１項に記載の電気接続箱の止水構造。
【請求項６】
前記ハーネスプロテクタの端部の開口下端と前記止水壁の上端とが同じ高さに位置したことを特徴とする請求項１〜５の何れか１項に記載の電気接続箱の止水構造。
【請求項７】
前記ハーネスプロテクタの中間の鍔壁が前記ガイド部にスライド係合し、該ガイド部の最下位置に第二の水抜き孔が設けられたことを特徴とする請求項１〜６の何れか１項に記載の電気接続箱の止水構造。
【請求項８】
前記ガイド部と、該ガイド部に続く両側の壁部と前記止水壁と前記下側の壁部とで囲まれてプロテクタ収容部が構成されたことを特徴とする請求項１〜７の何れか１項に記載の電気接続箱の止水構造。
【請求項９】
前記ガイド部よりも内側で前記ハーネスプロテクタに第三の水抜き孔が設けられたことを特徴とする請求項１〜８の何れか１項に記載の電気接続箱の止水構造。
【発明の詳細な説明】
【０００１】
【発明の属する技術分野】
本発明は、接続箱本体にハーネスプロテクタを装着した電気接続箱におけるプロテクタから接続箱本体内への水の浸入を防止した電気接続箱の止水構造に関するものである。
【０００２】
【従来の技術】
図６〜図７は従来の電気接続箱の止水構造の一形態を示すものである（特許文献１参照）。
【０００３】
この構造は、合成樹脂製の主カバー４２に垂直方向の開口４３を設けると共に、開口４３の両側にガイド部４４を設け、主カバー４２の内側にリレーやヒューズといった電気部品を装着するブロック部４５を挿入固定し、各電気部品に接続した各電線を束ねて開口４３から導出させると共に、ハーネス案内用の半割の筒状部４７と鍔状の覆い板４８とで成るプロテクタ４６を図７の如くガイド部４４にスライド係合させて、開口４３を覆い板４８で覆い、プロテクタ４６の筒状部４７で各電線を上側から覆って、主カバー４２に合成樹脂製の上下のカバー（図示せず）を被せ、上方から開口４３内への雨水の侵入を防いだものである。
【０００４】
主カバー４２とブロック部４５とリレーやヒューズといった電気部品と上下の各カバーとで電気接続箱４１が構成される。ハーネス案内用の筒状部４７は下向きに傾斜し、筒状部内への雨水等の侵入が防止されている。筒状部４７と覆い板４８とで成るプロテクタ４６は合成樹脂で一体成形されている。
【０００５】
【特許文献１】
特開平８−３２２１２８号公報（第２〜３頁、図１〜図５）
【０００６】
【発明が解決しようとする課題】
しかしながら、上記従来の構造にあっては、水滴が上からのみ落下する電気接続箱４１の配置箇所においては何ら問題ないが、例えばエンジンルーム等のように下から水が強く跳ね上がる部位等においては、水が下側から電線案内用の筒状部４７内に入り、筒状部４７に沿って主カバー４２内に浸入したり、あるいは覆い板（鍔壁）４６とガイド部４４との間から主カバー４２内に浸入したりする心配があった。
【０００７】
本発明は、上記した点に鑑み、たとえ水が跳ね上がる等してプロテクタ内に浸入したり、覆い板（鍔壁）とガイド部との間に浸入した場合でも、主カバーの内側すなわち電気部品を装着するブロック部側への水の浸入を確実に防止することのできる電気接続箱の止水構造を提供することを目的とする。
【０００８】
【課題を解決するための手段】
上記目的を達成するために、本発明に係る電気接続箱の止水構造は、接続箱本体のガイド部に装着されるハーネスプロテクタを備え、該接続箱本体に、該ハーネスプロテクタの端部に対向する止水壁が設けられたことを特徴とする。
上記構成により、ハーネスプロテクタ内に浸入した水はハーネスプロテクタの下側の内面に沿って接続箱本体内に浸入しようとするが、接続箱本体内に浸入する手前で止水壁に当たって接続箱本体内への浸入が阻止される。止水壁に当たった水は止水壁の外面に沿って落下し、例えば水抜き孔から外部に排出される。あるいは止水壁の下端側に溜められて蒸発し、接続箱本体内へ水滴として浸入することが防止される。
【０００９】
請求項２に係る電気接続箱の止水構造は、請求項１記載の電気接続箱の止水構造において、前記ハーネスプロテクタの端部に下向きの鍔壁が設けられ、該鍔壁と前記止水壁とが対向して位置し、該鍔壁と該止水壁との間に水誘導用の隙間が設けられたことを特徴とする。
上記構成により、ハーネスプロテクタの開口端部から接続箱本体内に浸入しようとした水が鍔壁と止水壁との間の隙間に導かれてスムーズに落下する。細かい水滴は鍔壁の内面に沿って落下する。大きな水滴は鍔壁の内面と止水壁の外面との両方に沿って落下する。落下した水は上記同様に水抜き孔や蒸発によって排出される。
【００１０】
請求項３に係る電気接続箱の止水構造は、請求項１又は２記載の電気接続箱の止水構造において、前記ハーネスプロテクタの下側に位置する前記接続箱本体の壁部が前記止水壁に交差して続き、該壁部に第一の水抜き孔が設けられたことを特徴とする。
上記構成により、止水壁や鍔壁に沿って落下した水が下側の壁部の第一の水抜き孔から外側に排出され、下側の壁部上に水滴が溜まることが防止される。
【００１１】
請求項４に係る電気接続箱の止水構造は、請求項３記載の電気接続箱の止水構造において、前記第一の水抜き孔が前記鍔壁の直下ないしその近傍に位置したことを特徴とする。
上記構成により、止水壁や鍔壁に沿って落下した水は直ちに水抜き孔から外側に排出され、水抜き性が一層向上する。
【００１２】
請求項５に係る電気接続箱の止水構造は、請求項１〜４の何れか１項に記載の電気接続箱の止水構造において、前記ハーネスプロテクタの端部側の部分が前記接続箱本体内で上向きに屈曲していることを特徴とする。
上記構成により、ハーネスプロテクタの内面が上向きに傾斜しているから、ハーネスプロテクタ内に水が流入しても、ハーネスプロテクタの開口に達するまでに傾斜面に沿って落下して戻され、開口から外側への水の流出が少なく抑えられる。
【００１３】
請求項６に係る電気接続箱の止水構造は、請求項１〜５の何れか１項に記載の電気接続箱の止水構造において、前記ハーネスプロテクタの端部の開口下端と前記止水壁の上端とが同じ高さに位置したことを特徴とする。
上記構成により、ハーネスプロテクタ内に挿通された電線が止水壁に干渉することなくスムーズに接続箱本体内に導入される。ハーネスプロテクタの開口下端と止水壁の上端とが同じ高さであるから、開口下端から接続箱本体内に浸入しようとする水が止水壁の上端に当たり、止水壁の外側面に沿って落下して、接続箱本体内への浸入が確実に阻止される。開口下端から落下する水は鍔壁に沿ってもスムーズに落下する。あるいは開口下端から止水壁と鍔壁との間の隙間に導かれて確実に排出される。
【００１４】
請求項７に係る電気接続箱の止水構造は、請求項１〜６の何れか１項に記載の電気接続箱の止水構造において、前記ハーネスプロテクタの中間の鍔壁が前記ガイド部にスライド係合し、該ガイド部の最下位置に第二の水抜き孔が設けられたことを特徴とする。
上記構成により、鍔壁とガイド部との間から接続箱本体内に浸入しようとする水はガイド部や鍔壁に沿ってガイド部の最下部に集められ、第二の水抜き孔から外側に排出される。これにより、鍔壁とガイド部との間から接続箱本体内への水の浸入が防止される。水量が多い場合等で万一、第二の水抜き孔から排出されずにガイド部内側の下側の壁部（請求項３）に沿って流れた場合は、請求項３記載の第一の水抜き孔からも排出され、二つの水抜き孔で効率良く排水が行われる。この際、止水壁で水がせき止められて接続箱本体内への流入が阻止される。
【００１５】
請求項８に係る電気接続箱の止水構造は、請求項１〜７の何れか１項に記載の電気接続箱の止水構造において、前記ガイド部と、該ガイド部に続く両側の壁部と前記止水壁と前記下側の壁部とで囲まれてプロテクタ収容部が構成されたことを特徴とする。
上記構成により、四方を囲まれた枠状のプロテクタ収容部が接続箱本体に形成され、プロテクタ収容部内に浸入した水がプロテクタ収容部内で留められて接続箱本体内への浸入が阻止される。プロテクタ収容部内の水は第一及び／又は第二の水抜き孔から外側に排出される。
【００１６】
請求項９に係る電気接続箱の止水構造は、請求項１〜８の何れか１項に記載の電気接続箱の止水構造において、前記ガイド部よりも内側で前記ハーネスプロテクタに第三の水抜き孔が設けられたことを特徴とする。
上記構成により、ハーネスプロテクタ内に流入した水は端部開口に達するまでの間で第三の水抜き孔からプロテクタ外に排出され、第一の水抜き孔及び／又は第二の水抜き孔から外側に排出される。第三の水抜き孔と請求項５記載の上向きの屈曲部との組み合わせで一層止水性が向上する。この場合、第三の水抜き孔は上向きの屈曲部の裾側の最下部に設ければより効果的である。
【００１７】
【発明の実施の形態】
以下に本発明の実施の形態を図面に基づいて詳細に説明する。
図１〜図２は本発明に係る電気接続箱の止水構造の一実施形態を示す概要図である。
【００１８】
図１の如く、電気接続箱１は合成樹脂製の接続箱本体２とハーネスプロテクタ（以下プロテクタと言う）３とを備え、接続箱本体２は上カバー４と主カバー（中間カバー）５と下カバー６とで構成され、主カバー５にプロテクタ３が上方からスライド式に装着され、主カバー５の内側にはブロック部（図示せず）が装着され、ブロック部にはヒューズやリレーといった電気部品（図示せず）が装着されている。各カバー４〜６は係止手段（図示せず）で着脱自在に固定されている。
【００１９】
プロテクタ３は筒状部７と、筒状部７の長手方向中間部に一体に形成された鍔状の垂直な覆い板（中間の鍔壁）８とで構成され、筒状部７は略Ｌ字状に屈曲し、先端側７ａが水平よりも少し下向きに傾斜している。リレーやヒューズ等の複数の電気部品に接続した複数の電線（ワイヤハーネス）が筒状部７内に挿通されて外部に導出される。
【００２０】
図２にも示す如く、プロテクタ３の筒状部７は、主カバー５内に収容される基部側の筒状部分７ｂが上向きに湾曲状ないし傾斜状に屈曲されている。この上向きの屈曲部分７ｂの前側に垂直な覆い板８が位置している。覆い板８は左右両側と下側とに略Ｕ字状の鍔状のスライド係合部８ａを有し、スライド係合部８ａが主カバー５の略Ｕ字状の開口の周囲のガイド部１０にスライド式に係合している。覆い板８の上端はガイド部１０の上端とほぼ同一高さに位置している。
【００２１】
図１，図２の如く、電気接続箱１の止水構造として、主カバー５にプロテクタ３の基部側の部分（上向きの屈曲部分）７ｂを収容するプロテクタ収容部１１が一体に形成され、プロテクタ収容部１１は左右の垂直な壁部１２，１３（右側の壁部１３は主カバー５の外壁を兼ねている）と、底側（下側）の水平方向の壁部１４（図２）と、後側の垂直な壁部である止水壁１５とを備えている。後側とはプロテクタ３の導出方向を前側と定義した場合の方向である。
【００２２】
図２の如く止水壁１５はプロテクタ３の基部側の上向き屈曲部７ｂにおけるハーネス挿通孔１６の開口１７の下端１７ａとほぼ同じ高さまで延びている。プロテクタ３の開口１７の端縁には下向きの垂直な鍔壁１８が設けられ、鍔壁１８と止水壁１５との間に少しの隙間１９が形成されている。鍔壁１８はプロテクタ３の下側の長手方向の垂直なリブ板２０に直交して続いている。そして、止水壁１５に隣接（近接）して主カバー５のプロテクタ収容部１１の底壁１４に水抜き孔（第一の水抜き孔）２１が設けられている。図１の如く主カバー５のプロテクタ収容部１１の下側は切欠されて外側に開放され、下カバー６で覆われている。
【００２３】
また、図２においてプロテクタ３の垂直な覆い板８をスライド係合させる主カバー５の凹状のガイド部１０の底部（最下部）に水抜き孔（第二の水抜き孔）２２が設けられている。ガイド部１０の底面はプロテクタ収容部１１の底壁面よりも低く位置している。
【００２４】
さらに、プロテクタ３の覆い板８の後端面に続いて筒状部７に水抜き孔（第三の水抜き孔）２３が設けられている。覆い板８は後側の上向き屈曲部７ｂと前側の短い水平部分７ｃとの境界に位置している。
【００２５】
図２の矢印Ａの如くプロテクタ３の覆い板８と主カバー５のガイド部１０との間に浸入した水はガイド部１０の水抜き孔２２から主カバー５の外側すなわちプロテクタ収容部１１の外側に排出される。また、矢印Ｂの如く外部から図１のプロテクタ３の先端開口７ａあるいは電線２４（図１）を伝わってプロテクタ３内に浸入した水は、先ずプロテクタ中間の水抜き孔２３からプロテクタ外に排出され、次いでガイド部１０の水抜き孔２２又は収容部１１の底壁１４の水抜き孔２１から主カバー５の外側に排出される。プロテクタ３の上向きの屈曲部７ｂの途中まで浸入した水は自重で屈曲部７ｂの内面に沿って落下して同じくプロテクタの水抜き孔２３からガイド部１０の水抜き孔２２を経て主カバー５の外側に排出される。
【００２６】
さらに、矢印Ｃの如く筒状部７に沿って上向きの屈曲部７ｂの頂部である開口端１７まで達した水は止水壁１５に当たって止水壁１５と下向きの鍔壁１８との間の隙間１９に沿って（止水壁１５及び鍔壁１８を伝わって）スムーズに落下し、鍔壁１８の直下の底壁１４の水抜き孔２１から主カバー５の外側に排出される。
【００２７】
これら主カバー５の外側に排出された水は図１の下カバー６の最下部の水抜き孔２５から電気接続箱１の外部に排出される。下カバー６にはリレーやヒューズ等の電気部品が配置されていないので、下カバー６内に水滴が落下してもショートや錆等の問題は何ら生じない。
【００２８】
図３は主カバー５のプロテクタ収容部１１の詳細図、図４はプロテクタ３の詳細図（図１とは上下を逆にして示している）、図５は主カバー５にプロテクタ３を装着した状態を示す詳細な断面図である。
【００２９】
図３の如く、主カバー５のガイド部１０は内外の板厚方向の二重壁２６と、二重壁２６の間の周壁２７とでガイド溝（符号２７で代用する）を構成し、周壁２７の底部中央に前記水抜き孔２２が形成されている。ガイド部１０は左右両側の垂直な壁部１２，１３に直交して続き（右側の壁部１３は主カバー５の外壁となっている）、両側の垂直な壁部１２，１３の間に底側の水平な壁部１４と後側の垂直な止水壁１５とが直交して続き、前側のガイド部１０と両側の壁部１２，１３と底側の壁部１５と後側の止水壁１５とで略矩形状のプロテクタ収容部１１が構成されている。
【００３０】
止水壁１５は左右の壁部１２，１３よりも低く形成されている。底壁１４は前半１４ａが高く、後半１４ｂが低くというように段付きとなっており、底壁１４の中央に円弧状の凹部１４ｃが形成され、凹部１４ｃの最下部分に止水壁直下の水抜き孔２１が左右一対設けられている。外部から底壁１４に浸入した水は低い凹部１４ｃに集められ、中央の水抜き孔２１からプロテクタ収容部１１の外側に排出される。
【００３１】
底壁１４の前半部分１４ａにはプロテクタ係止用の支柱２８が左右一対対称に立設され、支柱２８は外面側に係止凹部２８ａを有し、支柱２８の上端が水平な係止壁２８ｂとなっている。
【００３２】
図４の如く、プロテクタ３は筒状部７や覆い板８の高さ方向ほぼ中央から上下に分割可能であり、係止枠部２９と係合突起４０といった係止手段で上下の分割部材３ａ，３ｂが相互に結合されている。図４では下側の水抜き孔２３を図示するべく、使用形態とは上下逆に図示している。
【００３３】
筒状部７の上向きの屈曲部７ｂにおいて上側の分割部材３ａに図３の係止用の支柱２８に対する係合用の断面略コの字状の支柱３０が垂下形成され、係合用の支柱３０は上向きの可撓性の係合アーム３１を有し、係合アーム３１の上端に内向きの係合突起３１ａが形成されている。プロテクタ３の装着時に両支柱２８，３０がスライド係合しつつ係合突起３１ａが図３の係止凹部２８ａに係合する。
【００３４】
下側の分割部材３ｂの上向き屈曲部７ｂの底部中央に垂直方向のリブ板２０が設けられ、リブ板２０は開口端の鍔壁１８に直交して続き、リブ板２０の両側で垂直な覆い壁８の後端面に続いて一対の水抜き孔２３が設けられている。屈曲部７ｂは覆い壁８を起点として上向きに屈曲し、水抜き孔２３は起点側の最下部に位置している。水抜き孔２３はプロテクタ３の装着状態で図３のガイド部１０内の水抜き孔２２の上側の近傍に位置する。覆い壁８から前方（プロテクタ収容部１１の外側）に突出した筒状部分（符号７ａで代用する）は下向きに傾斜している。
【００３５】
垂直なリブ板２０で図３のプロテクタ収容部１１内の空間が区画（二分）され、収容部底壁１４の一対の水抜き孔２１が左右に二分される（一対の水抜き孔２１の間にリブ板２０が位置する）。これによって、プロテクタ収容部（収容空間）１１の左右何れかに入った水滴は、二分された狭いスペース内で迅速に水抜き孔２１から排出される。
【００３６】
図５の如く、プロテクタ３を主ケース５に装着した状態で、止水壁１５と鍔壁１８とは同一高さに位置し、止水壁１５と鍔壁１８との間に隙間１９が構成され、鍔壁１８の下端と底壁１４の水抜き孔２１との間に隙間３１が構成され、ガイド部１０と覆い壁８との間に隙間３２が構成される。水滴は各隙間１９，３１，３２を通ってプロテクタ収容部１１の各水抜き孔２１，２２に達し、迅速に排出される。鍔壁直下の水抜き孔２１から排出された水は収容部下側の枠状の壁部３３の内面に沿って下カバー６内に流れ落ちる。下カバー６があるから、水抜き孔２１からの水の逆流（外部から水抜き孔２１に水が入ること）が防止される。
【００３７】
図５で符号３４は上カバーを示す。上カバー３４は主カバー５のガイド部１０に続く上側のガイド部３５を有し、上側のガイド部３５は内側の防水パッキンで覆い壁８の上端部に密着する。ワイヤハーネス（複数本の電線）２４はプロテクタ３の上向きの屈曲部７ｂを経て主カバー５の内側で下向きに屈曲しつつブロック部（図示せず）のヒューズやリレー等の電気部品に接続される。
【００３８】
プロテクタ３の上向きの屈曲部７ｂにより、外部からの水が主カバー５内に浸入しにくくなっている。プロテクタ収容部１１によっても、主カバー５内への水の浸入が防止されている。それに加えて、プロテクタ３の水抜き孔２３やプロテクタ収容部１１の止水壁１５や各水抜き孔２１，２２によって主カバー５内への水の浸入が確実に防止されている。
【００３９】
なお、上記した止水構造は主カバー５と上下カバー４，６のある接続箱本体２に限らず、下カバーを一体化した主カバーと上カバーとで成る接続箱本体においても適用可能である。
【００４０】
【発明の効果】
以上の如く、請求項１記載の発明によれば、接続箱本体内に浸入しようとした水が止水壁によって阻止されるから、接続箱本体内のヒューズやリレー等の電気部品や電子ユニットや回路基板等にショートや錆等の悪影響を与えることが防止され、電気接続箱の品質が永続的に確保される。
【００４１】
請求項２記載の発明によれば、接続箱本体内に浸入しようとした水が鍔壁と止水壁との間の隙間に導かれてスムーズに落下するから、水の排出効率及び確実性が高まり、止水性が向上し、電気接続箱内の電気部品や電子部品等の水による悪影響が一層確実に防止される。
【００４２】
請求項３記載の発明によれば、止水壁や鍔壁に沿って落下した水が下側の壁部の第一の水抜き孔から外側に排出されるから、電気接続箱内の電気部品や電子部品等への水分による悪影響が一層確実に防止され、電気接続箱の経時的品質が一層確実に保持される。
【００４３】
請求項４記載の発明によれば、止水壁や鍔壁に沿って落下した水が直ちに水抜き孔から外側に排出されるから、水による電気接続箱内の悪影響が一層確実に防止され、電気接続箱の経時的品質が一層確実に保持される。
【００４４】
請求項５記載の発明によれば、ハーネスプロテクタの開口端まで達する水が上向きの屈曲部で少なく抑えられるから、強い勢いでハーネスプロテクタ内に水が流入した場合でも、上記止水壁や鍔壁によって確実に阻止され、電気接続箱の経時的品質が確保される。
【００４５】
請求項６記載の発明によれば、ハーネスプロテクタの開口下端から接続箱本体内に浸入しようとする水が止水壁の上端に当たり、止水壁や鍔壁の壁面に沿ってあるいは止水壁と鍔壁との間の隙間に導かれてスムーズに落下するから、ワイヤハーネスの挿通を邪魔することなく、接続箱本体内への水の浸入を確実に防止することができる。
【００４６】
請求項７記載の発明によれば、鍔壁とガイド部との間から接続箱本体内に浸入しようとする水が第二の水抜き孔から外側に排出され、ガイド部側からの水の浸入にも確実に対処できるから、接続箱本体内への水の浸入が確実に防止され、電気接続箱の経時的品質が確実に維持される。
【００４７】
請求項８記載の発明によれば、たとえ大量の水が一気に浸入した場合でも、プロテクタ収容部内に水が留められることで、第一及び／又は第二の水抜き孔から確実に外側に排出され、止水性が確保される。
【００４８】
請求項９記載の発明によれば、ハーネスプロテクタ内に流入した水が端部開口に達するまでの間で第三の水抜き孔からプロテクタ外に排出され、第一及び／又は第二の水抜き孔から外側に排出されるから、止水性が一層向上し、電気接続箱の経時的品質が一層高められる。
【図面の簡単な説明】
【図１】本発明に係る電気接続箱の止水構造の一実施形態の概要を示す全体斜視図である。
【図２】同じく止水構造の概要を示す要部縦断面図である。
【図３】止水構造を有する主カバーのプロテクタ収容部の一実施形態を示す斜視図である。
【図４】プロテクタの一実施形態を示す斜視図である。
【図５】プロテクタを主カバーに装着した状態を示す縦断面図である。
【図６】従来の電気接続箱の止水構造の一形態を示す分解正面図である。
【図７】同じく組付状態を示す横断面図である。
【符号の説明】
２          接続箱本体
３          ハーネスプロテクタ
７ｂ        上向き屈曲部
８          覆い壁（中間の鍔壁）
１０        ガイド部
１１        プロテクタ収容部
１２，１３  両側の壁部
１４        下側の壁部（底壁）
１５        止水壁
１７ａ      開口下端
１８        鍔壁
１９        隙間
２１        第一の水抜き孔
２２        第二の水抜き孔
２３        第三の水抜き孔
【図１】
2005027457.tif 000003
【図２】
2005027457.tif 000004
【図３】
2005027457.tif 000005
【図４】
2005027457.tif 000006
【図５】
2005027457.tif 000007
【図６】
2005027457.tif 000008
【図７】
2005027457.tif 000009